(57)【特許請求の範囲】
【請求項１】
波長帯域の異なる複数の照明光を出射する光源と、
前記複数の照明光に対応する液晶セルが順次循環的に配置され、各液晶セルにおいて入射光の光量を制御して出射する液晶表示パネルと、
前記複数の照明光の前記液晶表示パネルへの入射角を異ならせて、前記複数の照明光を対応する液晶セルに導く照明光学系とを有し、
前記照明光学系が、
マルチレンズアレイにより前記照明光を集光して１の前記照明光の光源像を複数形成し、前記各光源像を形成する入射光をレンズにより重ね合わせて前記液晶表示パネルを照明することにより、前記照明光を前記液晶表示パネルに導く光学系を有し、
前記複数の照明光を空間的に分離して前記光学系に入射し、
前記照明光学系は、
１つの前記マルチレンズアレイを前記複数の照明光に対応する領域に分割して、各領域でそれぞれ対応する前記照明光の光源像を複数形成し、
前記複数の照明光で共通のレンズにより前記各光源像を形成する入射光を重ね合わせて前記液晶表示パネルを照明し、
前記マルチレンズアレイには、隣接する前記照明光の前記領域の境界に、微小レンズを作成しない領域が設けられた
投射型表示装置。
【請求項２】
前記光源は、
光の３原色に対応した波長帯域により３つの照明光を出射する光源である
請求項１に記載の投射型表示装置。
【請求項３】
前記光源は、
光の３原色に対応した波長帯域におけるレーザービームを出射する３つのレーザー光源である
請求項１に記載の投射型表示装置。
【請求項４】
前記光源は、
色分離手段により白色光から前記複数の照明光を生成する
請求項１に記載の投射型表示装置。
【請求項５】
前記光源は、
光の３原色に対応した波長帯域における光を出射する３つの発光ダイオードである
請求項１に記載の投射型表示装置。
【発明の詳細な説明】
【０００１】
【発明の属する技術分野】
本発明は、投射型表示装置に関し、特に単板カラーフィルタレス方式の液晶プロジェクタに適用することができる。本発明は、照明光を集光して１の照明光の光源像を複数形成し、各光源像を形成する入射光を重ね合わせて液晶表示パネルを照明する光学系により照明光学系を形成し、この照明光学系において、複数の照明光を空間的に分離して入射することにより、簡易な組み立て作業により組み立てることができ、かつ全体形状を小型化することができるようにする。
【０００２】
【従来の技術】
従来、画像表示装置であるプロジェクタにおいては、空間変調素子の透過光又は反射光をスクリーン等に投射することにより、この空間変調素子による画像を投影して表示するようになされている。この種のプロジェクタにおいては、所望の倍率による表示画像を形成できることにより、陰極線管を用いた通常の表示装置、直視型液晶ディスプレイ等に比して大画面の表示に適していると考えられている。
【０００３】
このようなプロジェクタにおいては、空間変調素子として液晶表示パネルを使用するものがあり、このような液晶表示パネルを使用したプロジェクタにおいては、３枚の液晶表示パネルを用いてカラー画像を形成する方式（３板方式の液晶プロジェクタである）のものと、１枚の液晶表示パネルを用いてカラー画像を形成する方式（単板方式の液晶プロジェクタである）のものとがある。
【０００４】
このうち３板方式の液晶プロジェクタは、白色光源より出射された照明光を赤色、青色、緑色の波長帯域に分離すると共に、それぞれ赤色、青色、緑色の色信号により駆動される液晶表示パネルにこれら各波長帯域の照明光を供給し、各液晶表示パネルの透過光又は反射光をスクリーンに重ね合わせて投射するものである。
【０００５】
これに対して単板方式の液晶プロジェクタは、赤色、青色、緑色の色信号により動作する液晶セルを順次循環的に配列して液晶表示パネルを形成し、この液晶表示パネルの各液晶セルに対応する赤色、青色、緑色の照明光を選択的に供給すると共に、各液晶セルの透過光又は反射光をスクリーンに投射するものである。
【０００６】
このような単板方式の液晶プロジェクタにおいては、３板方式の液晶プロジェクタに比して、全体形状を簡略化することができ、さらにその分全体形状を小型化することができる。
【０００７】
このような単板方式の液晶プロジェクタにおいては、各液晶セルに対応する赤色、青色、緑色の照明光を選択的に供給する手段として、各液晶セルに対応するカラーフィルタを配置するものと、白色の照明光を赤色波長帯域、青色波長帯域、緑色波長帯域の照明光に分離して対応する液晶セルに選択的に入射させるものとがある（特開平４−６０５３８）。
【０００８】
この後者の液晶プロジェクタ（以下、単板カラーフィルタレス方式の液晶プロジェクタと呼ぶ）においては、カラーフィルタによる損失を回避できる分、前者の液晶プロジェクタに比して照明光の利用効率を向上することができる。
【０００９】
図９は、この単板カラーフィルタレス方式の液晶プロジェクタを示す略線図である。この液晶プロジェクタ１において、光源２は、メタルハライドランプ又はキセノンランプ等による放電ランプ３の周囲をリフレクタ４で囲って形成され、白色の照明光を出射する。凸レンズ５は、この光源２より出射される照明光を集光して透明ロッド６の端面に入射する。透明ロッド６は、入射光の光量分布を均一化するライトインテグレータの一種であり、１の端面より入射した照明光を側面で全反射させながら内部を伝搬して他の端面より出射することにより、照明光の光量分布を均一化する。凸レンズ７は、この透明ロッド６の他の端面より出射される照明光を収束して出射する。
【００１０】
色分解ミラー８Ｂ、８Ｇ、８Ｒは、ダイクロイックミラーであり、凸レンズ７より出射される照明光の光路上に近接して、かつ異なる傾きにより順次配置される。ここで色分解ミラー８Ｂ、８Ｇ、８Ｒは、それぞれ所定波長帯域の照明光を選択的に反射すると共に、残る波長帯域の照明光を選択的に透過する。これにより色分解ミラー８Ｂ、８Ｇ、８Ｒは、白色による照明光を青色波長帯域、緑色波長帯域、赤色波長帯域の照明光に分離してほぼ同一の方向に出射し、このときこれら青色波長帯域、緑色波長帯域、赤色波長帯域の照明光において、出射方向が所定角度だけ異なるようにこれら照明光を出射する。
【００１１】
液晶表示パネル９は、単板カラーフィルタレス方式に適用される液晶表示パネルであり、図１０に示すように、紙面において水平方向に、赤色、青色、緑色の色信号により動作して入射光を強度変調してなる透過光を出射する液晶セルＲ、Ｂ、Ｇが順次循環的に配置されて構成される。光束分離手段としてのマイクロレンズ１０は、微小レンズの集合体であり、液晶表示パネル９における赤色、青色、緑色の１組の液晶セルに対して１の微小レンズが配置される。これによりマイクロレンズ１０は、色分解ミラー８Ｂ、８Ｇ、８Ｒから出射して異なる方向より入射する青色、緑色、赤色の照明光を対応する液晶セルに選択的に入射する。なおこの図１０においては、偏光フィルタの記載を省略して示す。
【００１２】
レンズ１１及び１２は、この液晶表示パネル９の透過光をスクリーンに投射する。これにより単板カラーフィルタレス方式の液晶プロジェクタ１においては、液晶表示パネル９の各液晶セルを対応する色信号により駆動して所望の画像をスクリーンに投影できるようになされている。
【００１３】
このような単板カラーフィルタレス方式の液晶プロジェクタにおいては、色分解ミラー８Ｂ、８Ｇ、８Ｒに代えて分散素子を用いる構成（特開平５−２７３５１７）、ホログラム素子を用いる構成（特開平９−１４６０６６）も提案されている。
【００１４】
図１１は、透明ロッド６に代えてマルチレンズアレイ２２及び２３を使用して照明光の光量分布を均一化するようになされた液晶プロジェクタを示す略線図である。
【００１５】
ここでマルチレンズアレイ２２及び２３は、図１２に平面図、側面図を示すように、微小レンズをアレイ状に配置したものであり、この図１２に示す構成においては、この配置を２次元的に一様に繰り返したものである。液晶プロジェクタ２１においては、例えば同一形状のマルチレンズアレイ２２及び２３が光路上に離間して配置される。このときマルチレンズアレイ２２及び２３は、光源２側のマルチレンズアレイ２２を構成する微小レンズの焦点距離にほぼマルチレンズアレイ２２及び２３の間隔が等しくなるように配置され、ほぼ平行光線による照明光をこの光源２側のマルチレンズアレイ２２に入射する。
【００１６】
液晶プロジェクタ２１においては、マルチレンズアレイ２３側の光路上に１対の凸レンズ２４及び２５が配置される。これにより液晶プロジェクタ２１においては、マルチレンズアレイ２２の各微小レンズにより光源２の光学像をそれぞれマルチレンズアレイ２３近傍に形成すると共に、この各微小レンズの光学像より出射される照明光を液晶表示パネル９上で重ね合わせ、これにより液晶表示パネル９を均一に照明するようになされている。
【００１７】
【発明が解決しようとする課題】
ところでこのような単板カラーフィルタレス方式の液晶プロジェクタ１、２１においては、色分解ミラー８Ｂ、８Ｇ、８Ｒ等を精度良く配置する必要がある。すなわちこの精度が劣ると、液晶セルに対応する照明光だけを正しく入射することが困難になり、表示画面において色純度が低下するようになる。これによりこの種の液晶プロジェクタ１、２１においては、組み立て作業が煩雑で、かつ時間を要する問題がある。
【００１８】
また色分解ミラー８Ｂ、８Ｇ、８Ｒの特性より、色分解ミラー８Ｂ、８Ｇ、８Ｒの配置位置が制限され、この制限により全体形状が大型化する問題がある。
【００１９】
すなわち図１３及び図１４は、それぞれ長波長側帯域及び短波長側帯域を選択的に反射する色分解ミラーの反射率を示す特性曲線図である。この図１３及び図１４において入射角θ＝４５度を基準にして示すように、色分解ミラーは、入射角により透過率、反射率の半値波長が変化する。
【００２０】
これに対して図１５及び図１６に示すように、主光線が光学系光軸と平行でない非テレセントリック光学系においては、色分解ミラーの各部で照明光の入射角が相違することになる。
【００２１】
すなわち図１５においては、光学系光軸に対して主光線が角度θだけ傾いた状態で、照明光が色分解ミラーを透過した後、凸レンズを介して液晶表示パネルの上部に入射する場合である。また図１６においては、光学系光軸に対して主光線が角度θだけ傾いた状態で、照明光が色分解ミラーを透過した後、凸レンズを介して液晶表示パネルの下部に入射する場合である。ここではそれぞれ液晶表示パネルに、主光線に対して角度φの広がりにより照明光が入射する場合を示す。これにより非テレセントリック光学系に色分解ミラーを配置した場合には、各部で反射される照明光の波長帯域が微妙に相違し、スクリーン上においてこの波長帯域の相違が色ムラとして観察されることになる。
【００２２】
これにより色ムラを防止するために、この種の液晶プロジェクタにおいては、図１７に示すように、主光線が光軸と平行なテレセントリック光学系に色分解ミラーを配置せざるを得ず、その分全体構成が大型化する問題がある。
【００２３】
本発明は以上の点を考慮してなされたもので、単板カラーフィルタレス方式の液晶プロジェクタにおいて、簡易な組み立て作業により組み立てることができ、かつ全体形状を小型化することができる投射型表示装置を提案しようとするものである。
【００２４】
【課題を解決するための手段】
かかる課題を解決するため本発明においては、照明光学系が、マルチレンズアレイにより照明光を集光して１の照明光の光源像を複数形成し、各光源像を形成する入射光をレンズにより重ね合わせて液晶表示パネルを照明することにより、照明光を液晶表示パネルに導くようにし、このとき複数の照明光を空間的に分離して入射する。また照明光学系は、１つのマルチレンズアレイを複数の照明光に対応する領域に分割して、各領域でそれぞれ対応する照明光の光源像を複数形成し、複数の照明光で共通のレンズにより各光源像を形成する入射光を重ね合わせて液晶表示パネルを照明する。またマルチレンズアレイには、隣接する照明光の領域の境界に、微小レンズを作成しない領域が設けられる。
【００２５】
照明光を集光して１の照明光の光源像を複数形成し、各光源像を形成する入射光を重ね合わせて液晶表示パネルを照明することにより、照明光を液晶パネルに導くようにし、このとき複数の照明光を空間的に分離して入射すれば、各照明光においては、異なる傾きにより液晶表示パネルの各液晶セルに入射することになる。これにより色分離ミラーを用いなくても、照明光を各液晶セルに所定の傾きにより入射することができ、液晶セルに対応する照明光を入射することができ、色分離ミラーを用いないことにより、組み立て作業を簡略化でき、また全体形状を小型化することができる。
【００２６】
【発明の実施の形態】
以下、適宜図面を参照しながら本発明の実施の形態を詳述する。
【００２７】
（１）実施の形態の構成
図１は、本発明の実施の形態に係る液晶プロジェクタを示す略線図である。この液晶プロジェクタ４１において、図１１について上述した液晶プロジェクタ２１と同一の構成は、対応する符号を付して示し、重複した説明は省略する。なおこの実施の形態は、本願の前提の構成を示すものである。
【００２８】
この液晶プロジェクタ４１において、光源４２Ｒ、４２Ｇ、４２Ｂは、それぞれレーザー光源により構成され、液晶プロジェクタ４１における赤色用液晶セル、緑色用液晶セル、青色用液晶セルの繰り返し方向に対応する方向に配列されて、それぞれ赤色波長帯域、緑色波長帯域、青色波長帯域における所定波長のレーザービームを赤色用、緑色用、青色用の各照明光として出射する。
【００２９】
凹レンズ４３Ｒ、４３Ｇ、４３Ｂは、各光源４２Ｒ、４２Ｇ、４２Ｂより出射されるレーザービームＬＲ、ＬＧ、ＬＢを発散光により出射し、続く凸レンズ４４Ｒ、４４Ｇ、４４Ｂは、この発散光によるレーザービームをＬＲ、ＬＧ、ＬＢをそれぞれ平行光によりマルチレンズアレイ２２に入射する。これにより各凹レンズ４３Ｒ、４３Ｇ、４３Ｂと、対応する凸レンズ４４Ｒ、４４Ｇ、４４Ｂとは、それぞれレーザービームのビーム径を拡大して出射する拡大レンズ系を構成する。
【００３０】
このようにして各照明光ＬＲ、ＬＧ、ＬＢのビーム径を拡大して出射するにつき、図２に示すように、凹レンズ４３Ｒ、４３Ｇ、４３Ｂ及び凸レンズ４４Ｒ、４４Ｇ、４４Ｂは、マルチレンズアレイ２２の入射面及び出射面において、光源４２Ｒ、４２Ｇ、４２Ｂの配列に対応してこれら入射面及び出射面を３分割して形成される各領域ＡＲＬＲ、ＡＲＬＧ、ＡＲＬＢにだけそれぞれ対応する照明光ＬＲ、ＬＧ、ＬＢが入射し、隣接する他の領域には他の照明光が入射しないようになされている。なお液晶プロジェクタ４１においては、このために適宜遮光板等が照明光ＬＲ、ＬＧ、ＬＢの光束間に配置される。
【００３１】
これにより液晶プロジェクタ４１においては、液晶表示パネル９における液晶セルの配列に対応して、空間的に分離して赤色波長帯域、緑色波長帯域、青色波長帯域の照明光ＬＲ、ＬＧ、ＬＢを光源２側のマルチレンズアレイ２２に入射するようになされ、マルチレンズアレイ２２の各微小レンズで形成される光学像による照明光を液晶表示パネル９上で重ね合わせるようになされている。
【００３２】
（２）実施の形態の動作
以上の構成において、液晶プロジェクタ４１においては（図１）、光源４２Ｒ、４２Ｇ、４２Ｂよりレーザービームによる照明光ＬＲ、ＬＧ、ＬＢが出射され、各凹レンズ４３Ｒ、４３Ｇ、４３Ｂと、対応する凸レンズ４４Ｒ、４４Ｇ、４４Ｂとによる拡大レンズ系により、これら照明光ＬＲ、ＬＧ、ＬＢのビーム径が拡大されてほぼ平行光線に変換される。
【００３３】
さらに液晶プロジェクタ４１においては、空間的に分離されて、さらに液晶表示パネル９における液晶パネルの配列に対応する配置により、マルチレンズアレイ２２にこれら照明光ＬＲ、ＬＧ、ＬＢが入射され（図２）、マルチレンズアレイ２２を構成する微小レンズにより各微小レンズに入射した照明光ＬＲ、ＬＧ、ＬＢの光源像が続くマルチレンズアレイ２３の近傍に形成される。
【００３４】
液晶プロジェクタ４１においては、このようにして形成された各光源像を形成する照明光ＬＲ、ＬＧ、ＬＢが、続くマルチレンズアレイ２３、凸レンズ２４、２５により液晶表示パネル９に導かれ、各光源像を形成する照明光ＬＲ、ＬＧ、ＬＢが重なり合って液晶表示パネル９に入射することになる。
【００３５】
このとき各照明光ＬＲ、ＬＧ、ＬＢについては、空間的に分離されて、さらに液晶表示パネル９における液晶パネルの配列に対応する配置によりマルチレンズアレイ２２に入射した後、続くマルチレンズアレイ２３、凸レンズ２４、２５により液晶表示パネル９に導かれることにより、液晶表示パネル９に対しては、液晶セルの配列に対応した方向よりそれぞれ到来することになる。
【００３６】
すなわちマルチレンズアレイ２２を構成する微小レンズの各部に入射した照明光の光路を図３、図４及び図５に示すように、このように液晶表示パネル９における液晶パネルの配列に対応する配置により空間的に分離して照明光ＬＲ、ＬＧ、ＬＢをマルチレンズアレイ２２に入射する場合にあっては、液晶表示パネル９に入射する各照明光ＬＲ、ＬＧ、ＬＢの角度を制御することができる。なおここで図３においては、マルチレンズアレイ２２を構成する各微小レンズの中央に入射した照明光の光路を示し、図４及び図５においては、同様にして各微小レンズの下部及び上部に入射した照明光の光路を示す。
【００３７】
これらの光路図より、マルチレンズアレイ２２の各微小レンズより出射される照明光は、光軸からの各微小レンズの高さが大きくなるほど、液晶表示パネル９に対する入射角が増大することが判る。またマルチレンズアレイ２２の上側部分、中央部分、下側部分よりそれぞれ入射する各照明光ＬＲ、ＬＧ、ＬＢにおいては、液晶表示パネル９の各領域に異なる入射角で入射することが判る。
【００３８】
これにより液晶プロジェクタ４１においては、液晶表示パネル９の前面に配置したマイクロレンズ１０により液晶表示パネル９の各液晶セルに対応する照明光ＬＲ、ＬＧ、ＬＢを選択的に入射することが可能となり、各液晶セルより出射される強度変調されてなる出射光を凸レンズ１１及び１２（図１１参照）によりスクリーンに投射して表示画像を形成することができる。
【００３９】
これにより液晶プロジェクタ４１においては、色分離ミラー（図９、図１１）を用いなくても各液晶セルに対応する照明光を入射することができ、色分離ミラーを配置することによる組み立て作業の煩雑さを解消することができ、さらには組み立て精度を低減しても高品位の表示画像を形成することができる。また色分離ミラーを省略できる分、全体構成を簡略化、小型化することもできる。
【００４０】
また各照明光ＬＲ、ＬＧ、ＬＢにおいては、マルチレンズアレイ２２、２３の本来の機能により、液晶表示パネル９を均一に照明し、これにより高品位の表示画像を形成することができる。
【００４１】
（３）第１の実施の形態の効果
以上の構成によれば、それぞれ光源４２Ｒ、４２Ｇ、４２Ｂで生成したレーザービームによる照明光ＬＲ、ＬＧ、ＬＢを空間的に分離して、かつ液晶表示パネル９における液晶パネルの配列に対応する配置によりマルチレンズアレイ２２に入射することにより、色分離ミラーを使用しなくても、各波長帯域の照明光ＬＲ、ＬＧ、ＬＢを異なる角度により液晶表示パネル９に向かって出射し、液晶表示パネル９の各液晶セルに対応する照明光を選択的に入射することができる。従って色分離ミラーを使用しなくても良い分、全体形状を小型化、簡略化することができ、さらには取り付け精度も低減でき、その分組み立て作業を簡略化することができる。
【００４２】
（４）他の実施の形態
なお上述の実施の形態においては、それぞれ光源４２Ｒ、４２Ｇ、４２Ｂでレーザービームによる照明光ＬＲ、ＬＧ、ＬＢを生成する場合について述べたが、本発明はこれに限らず、図１、図９との対比により図６に示すように、光源２より出射される白色の照明光を色分解ミラー５２Ｂ、５２Ｇ、５２Ｒにより青色波長帯域、緑色波長帯域、赤色波長帯域の照明光ＬＲ、ＬＧ、ＬＢに分解し、この照明光ＬＲ、ＬＧ、ＬＢを空間的に分離してマルチレンズアレイ２２に入射するようにしてもよい。
【００４３】
なお上述の実施の形態においては、微小レンズを２次元的に一様に配置したマルチレンズアレイ２２及び２３を使用して液晶プロジェクタを構成する場合について述べたが、本発明は、図１との対比により図７に示すように、各照明光ＬＲ、ＬＧ、ＬＢの境界に微小レンズを何ら配置しない領域を形成する。このようにすれば、図８に示すように、マイクロレンズ１０を構成する１の微小レンズに入射するこれら照明光ＬＲ、ＬＢ、ＬＧを見たとき、１の微小レンズに入射する照明光ＬＲ、ＬＢ、ＬＧの光束を所定の角間隔αにより離間させることが可能となる。これにより確実に対応する照明光を液晶セルに選択的に入射することが可能となり、その分表示画像の色純度を向上して品位を向上することが可能となる。
【００４５】
また上述の実施の形態においては、レーザー光源により光源４２Ｒ、４２Ｇ、４２Ｂを構成する場合について述べたが、本発明はこれに限らず、発光ダイオードにより各光源を構成する場合等にも広く適用することができる。
【００４６】
さらに上述の実施の形態においては、液晶表示パネルにおける液晶セルの配列に対応して、各照明光を一次元的に配列すると共に、空間的に分離してマルチレンズアレイ２２に入射する場合について述べたが、本発明はこれに限らず、液晶表示パネルとの対応により各照明光を二次元的に配列すると共に、空間的に分離してマルチレンズアレイ２２に入射するようにしてもよい。
【００４７】
また上述の実施の形態においては、１対のマルチレンズアレイを使用する場合について述べたが、本発明はこれに限らず、この１対のマルチレンズアレイを一体化した構成のマルチレンズアレイを使用する場合等、要は、入射光を集光してこの入射光の光源像を複数形成すると共に、各光源像を形成する入射光を重ね合わせて液晶表示パネルを照明するように、光源側の光学系である照明光学系を形成する場合に広く適用して、この照明光学系にこれらの照明光の空間的に分離して入射して上述の実施の形態と同様の効果を得ることができる。
【００４８】
【発明の効果】
上述のように本発明によれば、照明光を集光して１の照明光の光源像を複数形成し、各光源像を形成する入射光を重ね合わせて液晶表示パネルを照明する光学系により照明光学系を形成し、この照明光学系において、複数の照明光を空間的に分離して入射することにより、簡易な組み立て作業により組み立てることができ、かつ全体形状を小型化することができる。
【図面の簡単な説明】
【図１】本発明の実施の形態に係る液晶プロジェクタを示す略線図である。
【図２】マルチレンズアレイと照明光との関係を示す斜視図である。
【図３】マルチレンズアレイの各微小レンズの中央に入射する照明光の光路を示す略線図である。
【図４】マルチレンズアレイの各微小レンズの下部に入射する照明光の光路を示す略線図である。
【図５】マルチレンズアレイの各微小レンズの上部に入射する照明光の光路を示す略線図である。
【図６】白色光源を用いた他の実施の形態に係る液晶プロジェクタを示す略線図である。
【図７】マルチレンズアレイを分離した構成とした他の実施の形態に係る液晶プロジェクタを示す略線図である。
【図８】図７の液晶プロジェクタにおいて１の液晶セルに対する照明光の光路を示す略線図である。
【図９】従来の液晶プロジェクタを示す略線図である。
【図１０】マイクロレンズと液晶表示パネルとの関係を示す断面図である。
【図１１】マルチレンズアレイを用いた従来の液晶プロジェクタを示す略線図である。
【図１２】マルチレンズアレイを示す平面図及び側面図である。
【図１３】長波長側を反射するダイクロイックミラーの特性を示す特性曲線図である。
【図１４】短波長側を反射するダイクロイックミラーの特性を示す特性曲線図である。
【図１５】非テレセントリック光学系において、液晶表示パネルの上部に入射する照明光の光路を示す略線図である。
【図１６】非テレセントリック光学系において、液晶表示パネルの下部に入射する照明光の光路を示す略線図である。
【図１７】テレセントリック系の光学系において、液晶表示パネルに入射する照明光の光路を示す略線図である。
【符号の説明】
１、２１、４１、５１、６１……液晶プロジェクタ、２、４２Ｂ、４２Ｇ、４２Ｒ……光源、９……液晶表示パネル、１０……マイクロレンズ、２２、２３……マルチレンズアレイ
【図１】
0004182374.tif 000002
【図２】
0004182374.tif 000003
【図３】
0004182374.tif 000004
【図４】
0004182374.tif 000005
【図５】
0004182374.tif 000006
【図６】
0004182374.tif 000007
【図７】
0004182374.tif 000008
【図８】
0004182374.tif 000009
【図９】
0004182374.tif 000010
【図１０】
0004182374.tif 000011
【図１１】
0004182374.tif 000012
【図１２】
0004182374.tif 000013
【図１３】
0004182374.tif 000014
【図１４】
0004182374.tif 000015
【図１５】
0004182374.tif 000016
【図１６】
0004182374.tif 000017
【図１７】
0004182374.tif 000018